(57)【要約】      （修正有）【課題】充電中にぶつかる等の衝撃や振動などが有っても接触不良などが無く、充電式バッテリーを押圧保持したとき該バッテリーの浮き上がりを防止するなど、安定した充電が行える充電用バッテリーホルダーの電極構造を提供する。【解決手段】充電用バッテリーを保持するホルダー本体３と該バッテリーの両極に接触するコンタクト電極４を有する充電用バッテリーホルダー１に於いて、少なくとも一方のコンタクト電極をねじ部材で直接押圧保持することと、またその少なくとも一方のコンタクト電極の先端近傍に、充電用バッテリー側方向に若干倒れるような傾斜を持って形成した浮き上がり防止部材を設ける。【選択図】図１
0003129724.tif 000002
【実用新案登録請求の範囲】
【請求項１】
充電用バッテリーを保持するホルダー本体と該バッテリーの両極に接触するコンタクト電極を有する充電用バッテリーホルダーに於いて、少なくとも一方のコンタクト電極をねじ部材で直接押圧保持することを特徴とした充電用バッテリーホルダーの電極構造。
【請求項２】
請求項１記載の少なくとも一方のコンタクト電極の先端近傍に、充電用バッテリー側方向に若干倒れるような傾斜を持って形成した浮き上がり防止部材を設けたことを特徴とする充電用バッテリーホルダーの電極構造。
【考案の詳細な説明】
【技術分野】
【０００１】  本考案は、ラジコンカーなどに多用される充電用バッテリーホルダーのコンタクト電極の構造に関する。
【背景技術】
【０００２】  従来の充電用バッテリーホルダーの電極は、充電用バッテリーの両極又は片側極にコイル又は板状のバネの弾発力で接触させ、定電圧電源より電力を供給して充電することが一般的技術として汎用されていた。【０００３】  また、近年発達した携帯電話用のバッテリーパックを充電する充電器の充電端子における異物が介在して不都合の発生を未然に防止する端子構造の改善提案がなされており、該提案は、接続端子に先んじて酸化皮膜などを掻き取るクリーニング突起を設けて、本体側端子とアタッチメント側端子との間に異物が介在しての不都合の発生を未然に防止する端子構造が記載されている。（例えば、特許文献１参照）【０００４】  さらに、バッテリーの充放電を正確に安定して行うとする接触手段を、バッテリーの電極に対して摺動させることで、電極表面の酸化皮膜やゴミ等の不純物を除去して端子の接触抵抗などを良好なものに改善するとする端子構造が記載されている。（例えば、特許文献２参照）【０００５】
【特許文献１】  特開平１１−１８５８２７号
【特許文献２】  特開２００３−１５１６４４号
【考案の開示】
【考案が解決しようとする課題】
【０００６】  上述する充電用バッテリーに於いて、近年、無線操縦による走行玩具、詳しくは、ＲＣカーなどに多用される電源は、単三、単四タイプの充電式乾電池が多く使用され、そして該ＲＣカーなどの駆動用モーターは、高速回転、高出力が要求され、それに伴う充電式バッテリーの消耗も激しく、予備バッテリーと交換して絶えず充電を行っていた。【０００７】  また、その充電を行う場所が、屋内外のＲＣカーの大会会場等が多く、その会場の隅の卓上又は床で行われるため、物がぶつかる等の衝撃や振動など充電環境が必ずしも良いとは言えず、振動などで充電中のバッテリーのずれ、またセッティング不良による接触不良及びそれによる接触抵抗の増大と、その状況によるショート放電などの充電効率の悪さによる充電時間の長さ、さらにそれらに伴う該バッテリーの性能劣化と大きな問題を抱え、これらを解消する対応が待たれていた。【０００８】  さらに、その充電式バッテリーの性能は、ＲＣカーのスピード競技などでは走行性能に直接結びつき、効率よく充電することが望まれ、しかし、接触不良及び電極表面の酸化皮膜に影響されて必ずしも理想的に充電ができず、該バッテリーの性能劣化にも繋がることがあり、その対策が望まれていた。【０００９】  そして、上述した従来の特許文献１の電子機器の端子構造は、充電するときクリーニング突起１０Ｂが接続突起１０Ａより先んじて酸化皮膜などを掻き取った後、バッテリーパック１００のコンタクトプレート１１１と接続突起１０Ａが接触して充電が行われることが記載され、酸化皮膜等の異物が介在しての不都合の発生の対策に対して機能する物であり、物がぶつかる等の衝撃や振動などによる、接触不良及びそれによる接触抵抗の増大と、加えてその状況によるショート発生時の充電効率の悪さには、対応できなかった。【００１０】  また、特許文献２のバッテリーの充放電試験方法及びその装置の接触手段は、金属板バネ体から構成された接触端子が設けられ、該接触端子は、その接触部をバッテリーの電極に押圧させた際に、接触部の接点が電極に対して摺動しながら移動することで、不純物が除去され、接触抵抗の低い安定した充放電ができるとしているが、上述する特許文献１と同様、物がぶつかる等の衝撃や振動などによる、接触不良及びそれによる接触抵抗の増大と、加えてその状況によるショート発生時の充電効率の悪さには、対応できなかった。【００１１】  このように従来例では、バッテリー側の電極と充電側の電極との押圧する強制力が弱く、酸化皮膜などの接触抵抗もさることながら、押圧する強制力の弱さが大きく影響し、この対策が待たれていた。
【課題を解決するための手段】
【００１２】  本考案は、上記課題を有効に達成するために第１の解決手段として、充電用バッテリーを保持するホルダー本体と該バッテリーの両極に接触するコンタクト電極を有する充電用バッテリーホルダーに於いて、少なくとも一方のコンタクト電極をねじ部材で直接押圧保持することで、充電式バッテリーに効率よく充電ができる事としている。【００１３】  また、第２の解決手段として、請求項１記載の少なくとも一方のコンタクト電極の先端近傍に、充電用バッテリー側方向に若干倒れるような傾斜を持って形成した浮き上がり防止部材を設けたことで、一方のコンタクト電極をねじ部材で押圧保持したとき、充電式バッテリーの浮き上がりが防止できる事としている。
【考案の効果】
【００１４】  本考案は、上述したそれぞれの手段によって有効な効果が得られるようにしたもので、特に、第１の解決手段の充電用バッテリーを保持するホルダー本体と該バッテリーの両極に接触するコンタクト電極を有する充電用バッテリーホルダーに於いて、少なくとも一方のコンタクト電極をねじ部材で直接押圧保持することにより、
充電用バッテリーの電極にコンタクト電極がねじ部材で押圧保持されているので、接触抵抗が小さくなると共に充電中にぶつかる等の衝撃や振動などによる接触不良及びそれによる接触抵抗の増大も無く、またそれによるバッテリーの性能劣化もある程度低く抑えられ、さらにコンタクト電極をねじ部材で直接、充電用バッテリーの電極に押圧保持することで、接触面の酸化皮膜も改善されて接触抵抗が小さく、よって電極同士の接点が安定して接触し、充電中にぶつかる等の衝撃や振動などが有っても安定した充電が行える。【００１５】  また、第２の解決手段の少なくとも一方のコンタクト電極の先端近傍に、充電用バッテリー側方向に若干倒れるような傾斜を持って形成した浮き上がり防止部材を設けることで、
充電用バッテリーの電極にコンタクト電極をねじ部材で直接、押圧保持したとき、衝撃や振動などにより充電式バッテリーの浮き上がりを防止することで、電極同士の接点を安定して接触させ、安定した充電が行われる。【００１６】  よって、本考案は、ＲＣカーの大会会場など充電雰囲気が悪い場合でも、充電するとき安定した充電ができ、かつ接触抵抗も小さく良い状態で充電が行えるので、バッテリーの性能劣化もある程度低く抑えられ、実用上著大な効果を奏する。
【考案を実施するための最良の形態】
【実施例】
【００１７】  本考案の第１実施例を図面に基づいて説明すると、図１に於いて、１は充電用バッテリーホルダーで、該充電用バッテリーホルダー１は、単三或いは単四タイプの充電用バッテリー２が直列に配列（図示では４本）される程度の細長い上部開放した筐体のホルダー本体３と該ホルダー本体３の左右端部にコンタクト電極４、４をそれぞれ設けている。【００１８】  該コンタクト電極４、４は、ホルダー本体３の左右端部設けられた板状の電極ホルダー５、５に保持され、該電極ホルダー５、５は、図２に示すごとく充電用バッテリー２のプラス電極６及びマイナス電極７の略中心近傍に当たる位置にネジ部８、８をそれぞれ形成し、該ネジ部８、８に該コンタクト電極４、４を螺着している。【００１９】  なお、コンタクト電極４、４の基端側に開設している穴部９、９は、定電圧電源等で電力を印加する充電用の接続端子を挿入する穴である。【００２０】  また、第２実施例は、上記第１実施例と略同様で、差違において、図３及び図４に示すように、コンタクト電極４の先端近傍に、充電用バッテリー２の電極８側方向に若干倒れるような傾斜を持って形成した浮き上がり防止部材１０を設けている。【００２１】  該浮き上がり防止部材１０は、薄板状の側面逆Ｕの字状で、該逆Ｕの字状の上部が充電用バッテリー２の電極８側方向に若干倒れるような傾斜を持って形成すると共に略中央部の穴を挿通するようにコンタクト電極４の先端近傍に遊嵌されている。【００２２】  しかして、今、第１実施例の充電用バッテリーホルダー１で充電用バッテリー２に充電するとき、まず該充電用バッテリー２を４本、直列にホルダー本体３内に配置し、その状態で電極ホルダー５、５に螺着されたコンタクト電極４、４を回転させて、該充電用バッテリー２、２、…のプラス電極６及びマイナス電極７をコンタクト電極４、４の先端で直接、押圧保持する。【００２３】  押圧保持された状態で、コンタクト電極４、４の基端側の穴部９、９に定電圧電源等の接続端子を挿入して、そこから電力を印加して充電用バッテリー２、２、…に充電をする。【００２４】  その時、充電用バッテリー２、２、…が、コンタクト電極４、４にて押圧保持された状態、つまりネジ部材にて締め付け保持された状態で充電されるので、物がぶつかる等の衝撃や振動でショート又は若干のずれによる接触不良及びそれによる接触抵抗の増大などの悪状況による充電効率の悪さが起こらず、よって、安定した充電をすることで、バッテリーの性能劣化もある程度低く抑えている。【００２５】  なお、両方のコンタクト電極４、４で充電用バッテリー２、２、…をネジ部材で締め付けられるように設けているが、該コンタクト電極４、４の一方を固定としても良いく、これについての図示は省略した。【００２６】  また、第２実施例の充電用バッテリー２、２、…のプラス電極６に浮き上がり防止部材１０を設けているが、マイナス電極７側でも可能であり、これについての図示は省略した。
【図面の簡単な説明】
【００２７】
【図１】本考案の第一実施例の斜視図である。
【図２】図１の中間部を略したＡ−Ａ線断面図である。
【図３】本考案の第二実施の腰部を示す断面図である。
【図４】図３のＢ−Ｂ線断面図である。
【符号の説明】
【００２８】  １  充電用バッテリーホルダー
２  充電用バッテリー
３  ホルダー本体
４  コンタクト電極
５  電極ホルダー
８  ネジ部
１０  浮き上がり防止部材
【図１】
0003129724.tif 000003
【図２】
0003129724.tif 000004
【図３】
0003129724.tif 000005
【図４】
0003129724.tif 000006
【手続補正書】
【提出日】平成18年11月28日(2006.11.28)
【手続補正１】
【補正対象書類名】実用新案登録請求の範囲
【補正対象項目名】請求項２
【補正方法】変更
【補正の内容】
【請求項２】
少なくとも一方のコンタクト電極の先端近傍に、充電用バッテリー側方向に若干倒れるような傾斜を持って浮き上がり防止部材を形成したことを特徴とする請求項１に記載の充電用バッテリーホルダーの電極構造。
【手続補正２】
【補正対象書類名】明細書
【補正対象項目名】全文
【補正方法】変更
【補正の内容】
【考案の詳細な説明】
【技術分野】
【０００１】  本考案は、ラジコンカーなどに多用される充電用バッテリーホルダーのコンタクト電極の構造に関する。
【背景技術】
【０００２】  従来の充電用バッテリーホルダーの電極は、充電用バッテリーの両極又は片側極にコイル又は板状のバネの弾発力で接触させ、定電圧電源より電力を供給して充電することが一般的技術として汎用されていた。【０００３】  また、近年発達した携帯電話用のバッテリーパックを充電する充電器の充電端子における異物が介在して不都合の発生を未然に防止する端子構造の改善提案がなされており、該提案は、接続端子に先んじて酸化皮膜などを掻き取るクリーニング突起を設けて、本体側端子とアタッチメント側端子との間に異物が介在しての不都合の発生を未然に防止する端子構造が記載されている。（例えば、特許文献１参照）【０００４】  さらに、バッテリーの充放電を正確に安定して行うとする接触手段を、バッテリーの電極に対して摺動させることで、電極表面の酸化皮膜やゴミ等の不純物を除去して端子の接触抵抗などを良好なものに改善するとする端子構造が記載されている。（例えば、特許文献２参照）【０００５】
【特許文献１】  特開平１１−１８５８２７号
【特許文献２】  特開２００３−１５１６４４号
【考案の開示】
【考案が解決しようとする課題】
【０００６】  上述する充電用バッテリーに於いて、近年、無線操縦による走行玩具、詳しくは、ＲＣカーなどに多用される電源は、単三、単四タイプの充電式乾電池が多く使用され、そして該ＲＣカーなどの駆動用モーターは、高速回転、高出力が要求され、それに伴う充電式バッテリーの消耗も激しく、予備バッテリーと交換して絶えず充電を行っていた。【０００７】  また、その充電を行う場所が、屋内外のＲＣカーの大会会場等が多く、その会場の隅の卓上又は床で行われるため、物がぶつかる等の衝撃や振動など充電環境が必ずしも良いとは言えず、振動などで充電中のバッテリーのずれ、またセッティング不良による接触不良及びそれによる接触抵抗の増大と、その状況によるショート放電などの充電効率の悪さによる充電時間の長さ、さらにそれらに伴う該バッテリーの性能劣化と大きな問題を抱え、これらを解消する対応が待たれていた。【０００８】  さらに、その充電式バッテリーの性能は、ＲＣカーのスピード競技などでは走行性能に直接結びつき、効率よく充電することが望まれ、しかし、接触不良及び電極表面の酸化皮膜に影響されて必ずしも理想的に充電ができず、該バッテリーの性能劣化にも繋がることがあり、その対策が望まれていた。【０００９】  そして、上述した従来の特許文献１の電子機器の端子構造は、充電するときクリーニング突起１０Ｂが接続突起１０Ａより先んじて酸化皮膜などを掻き取った後、バッテリーパック１００のコンタクトプレート１１１と接続突起１０Ａが接触して充電が行われることが記載され、酸化皮膜等の異物が介在しての不都合の発生の対策に対して機能する物であり、物がぶつかる等の衝撃や振動などによる、接触不良及びそれによる接触抵抗の増大と、加えてその状況によるショート発生時の充電効率の悪さには、対応できなかった。【００１０】  また、特許文献２のバッテリーの充放電試験方法及びその装置の接触手段は、金属板バネ体から構成された接触端子が設けられ、該接触端子は、その接触部をバッテリーの電極に押圧させた際に、接触部の接点が電極に対して摺動しながら移動することで、不純物が除去され、接触抵抗の低い安定した充放電ができるとしているが、上述する特許文献１と同様、物がぶつかる等の衝撃や振動などによる、接触不良及びそれによる接触抵抗の増大と、加えてその状況によるショート発生時の充電効率の悪さには、対応できなかった。【００１１】  このように従来例では、バッテリー側の電極と充電側の電極との押圧する強制力が弱く、酸化皮膜などの接触抵抗もさることながら、押圧する強制力の弱さが大きく影響し、この対策が待たれていた。
【課題を解決するための手段】
【００１２】  本考案は、上記課題を有効に達成するために第１の解決手段として、充電用バッテリーを保持するホルダー本体と該バッテリーの両極に接触するコンタクト電極を有する充電用バッテリーホルダーに於いて、少なくとも一方のコンタクト電極をねじ部材で直接押圧保持することで、充電式バッテリーに効率よく充電ができる事としている。【００１３】  また、第２の解決手段として、請求項１記載の少なくとも一方のコンタクト電極の先端近傍に、充電用バッテリー側方向に若干倒れるような傾斜を持って形成した浮き上がり防止部材を設けたことで、一方のコンタクト電極をねじ部材で押圧保持したとき、充電式バッテリーの浮き上がりが防止できる事としている。
【考案の効果】
【００１４】  本考案は、上述したそれぞれの手段によって有効な効果が得られるようにしたもので、特に、第１の解決手段の充電用バッテリーを保持するホルダー本体と該バッテリーの両極に接触するコンタクト電極を有する充電用バッテリーホルダーに於いて、少なくとも一方のコンタクト電極をねじ部材で直接押圧保持することにより、
充電用バッテリーの電極にコンタクト電極がねじ部材で押圧保持されているので、接触抵抗が小さくなると共に充電中にぶつかる等の衝撃や振動などによる接触不良及びそれによる接触抵抗の増大も無く、またそれによるバッテリーの性能劣化もある程度低く抑えられ、さらにコンタクト電極をねじ部材で直接、充電用バッテリーの電極に押圧保持することで、接触面の酸化皮膜も改善されて接触抵抗が小さく、よって電極同士の接点が安定して接触し、充電中にぶつかる等の衝撃や振動などが有っても安定した充電が行える。【００１５】  また、第２の解決手段の少なくとも一方のコンタクト電極の先端近傍に、充電用バッテリー側方向に若干倒れるような傾斜を持って形成した浮き上がり防止部材を設けることで、
充電用バッテリーの電極にコンタクト電極をねじ部材で直接、押圧保持したとき、衝撃や振動などにより充電式バッテリーの浮き上がりを防止することで、電極同士の接点を安定して接触させ、安定した充電が行われる。【００１６】  よって、本考案は、ＲＣカーの大会会場など充電雰囲気が悪い場合でも、充電するとき安定した充電ができ、かつ接触抵抗も小さく良い状態で充電が行えるので、バッテリーの性能劣化もある程度低く抑えられ、実用上著大な効果を奏する。
【考案を実施するための最良の形態】
【実施例】
【００１７】  本考案の第１実施例を図面に基づいて説明すると、図１に於いて、１は充電用バッテリーホルダーで、該充電用バッテリーホルダー１は、単三或いは単四タイプの充電用バッテリー２が直列に配列（図示では４本）される程度の細長い上部開放した筐体のホルダー本体３と該ホルダー本体３の左右端部にコンタクト電極４、４をそれぞれ設けている。【００１８】  該コンタクト電極４、４は、ホルダー本体３の左右端部設けられた板状の電極ホルダー５、５に保持され、該電極ホルダー５、５は、図２に示すごとく充電用バッテリー２のプラス電極６及びマイナス電極７の略中心近傍に当たる位置にネジ部８、８をそれぞれ形成し、該ネジ部８、８に該コンタクト電極４、４を螺着している。【００１９】  なお、コンタクト電極４、４の基端側に開設している穴部９、９は、定電圧電源等で電力を印加する充電用の接続端子を挿入する穴である。【００２０】  また、第２実施例は、上記第１実施例と略同様で、差違において、図３及び図４に示すように、コンタクト電極４の先端近傍に、充電用バッテリー２の電極８側方向に若干倒れるような傾斜を持って形成した浮き上がり防止部材１０を設けている。【００２１】  該浮き上がり防止部材１０は、薄板状の側面逆Ｕの字状で、該逆Ｕの字状の上部が充電用バッテリー２の電極８側方向に若干倒れるような傾斜を持って形成すると共に略中央部の穴を挿通するようにコンタクト電極４の先端近傍に遊嵌されている。【００２２】  しかして、今、第１実施例の充電用バッテリーホルダー１で充電用バッテリー２に充電するとき、まず該充電用バッテリー２を４本、直列にホルダー本体３内に配置し、その状態で電極ホルダー５、５に螺着されたコンタクト電極４、４を回転させて、該充電用バッテリー２、２、…のプラス電極６及びマイナス電極７をコンタクト電極４、４の先端で直接、押圧保持する。【００２３】  押圧保持された状態で、コンタクト電極４、４の基端側の穴部９、９に定電圧電源等の接続端子を挿入して、そこから電力を印加して充電用バッテリー２、２、…に充電をする。【００２４】  その時、充電用バッテリー２、２、…が、コンタクト電極４、４にて押圧保持された状態、つまりネジ部材にて締め付け保持された状態で充電されるので、物がぶつかる等の衝撃や振動でショート又は若干のずれによる接触不良及びそれによる接触抵抗の増大などの悪状況による充電効率の悪さが起こらず、よって、安定した充電をすることで、バッテリーの性能劣化もある程度低く抑えている。【００２５】  なお、両方のコンタクト電極４、４で充電用バッテリー２、２、…をネジ部材で締め付けられるように設けているが、該コンタクト電極４、４の一方を固定としても良いく、これについての図示は省略した。【００２６】  また、第２実施例の充電用バッテリー２、２、…のプラス電極６に浮き上がり防止部材１０を設けているが、マイナス電極７側でも可能であり、これについての図示は省略した。
【図面の簡単な説明】
【００２７】
【図１】  本考案の第一実施例の斜視図である。
【図２】  図１の中間部を略したＡ−Ａ線断面図である。
【図３】  本考案の第二実施の腰部を示す断面図である。
【図４】  図３のＢ−Ｂ線断面図である。
【符号の説明】
【００２８】    １  充電用バッテリーホルダー
２  充電用バッテリー
３  ホルダー本体
４  コンタクト電極
５  電極ホルダー
８  ネジ部
１０  浮き上がり防止部材